(57)【要約】  本件開示の回路基板は、配線基板と、無通電での放置によって劣化を生じる劣化性部品を含んで上記配線基板上に構成された、第１の電源の電力で動作する回路とを備えている。さらに、この回路基板は、上記配線基板上に搭載された第２の電源と、上記第２の電源の電力で少なくとも上記劣化性部品を断続的に通電させる、上記配線基板上に構成された通電制御部とを備えている。本件開示の電子機器は、更に、上記第１の電源も備えている。
2011045858.tif 000002
【特許請求の範囲】
【請求項１】
配線基板と、
無通電での放置によって劣化を生じる劣化性部品を含んで前記配線基板上に設けられた、第１の電源の電力で動作する回路と、
前記配線基板上に搭載された第２の電源と、
前記第２の電源の電力で少なくとも前記劣化性部品を断続的に通電させる、前記配線基板上に構成された通電制御部とを備えたことを特徴とする回路基板。
【請求項２】
前記通電制御部が、
経過時間を計測するタイマと、
前記タイマによって計測された経過時間が所定の基準時間に達した場合に前記第２の電源の電力で少なくとも前記劣化性部品を一時的に通電させる経過時通電部と、
前記劣化性部品が（第１あるいは第２の電源で）通電された場合に前記タイマをリセットするリセット部とを備えたものであることを特徴とする請求項１記載の回路基板。
【請求項３】
前記通電制御部が、
前記回路に対する第１の電源による電力供給の有無を確認する供給確認部と、
前記供給確認部により供給無しが確認された場合に前記第２の電源の電力で少なくとも前記劣化性部品を一時的に通電させる無給電時通電部とを備えたことを特徴とする請求項１または２記載の回路基板。
【請求項４】
前記第２の電源が、前記第１の電源を兼ねた共通電源であり、
前記共通電源の電力を前記回路に導く電源ラインと、
前記電源ラインを前記配線基板外からの指図でオンオフするスイッチとを備えたことを特徴とする請求項１から３のうちいずれか１項記載の回路基板。
【請求項５】
前記第１の電源の電力を前記回路に導く第１の電源ラインと、
前記第２の電源の電力を前記劣化性部品に導く第２の電源ラインとを備え、
前記通電制御部が、前記第２の電源ラインのオンオフを制御するものであることを特徴とする請求項１から４のうちいずれか１項記載の回路基板。
【請求項６】
オンオフされる第１の電源と、
配線基板と、
無通電での放置によって劣化を生じる劣化性部品を含んで前記配線基板上に設けられた、前記第１の電源の電力で動作する回路と、
前記配線基板上に搭載された第２の電源と、
前記第２の電源の電力で少なくとも前記劣化性部品を断続的に通電させる、前記配線基板上に構成された通電制御部とを備えたことを特徴とする電子機器。
【請求項７】
前記通電制御部が、
経過時間を計測するタイマと、
前記タイマによって計測された経過時間が所定の基準時間に達した場合に前記第２の電源の電力で少なくとも前記劣化性部品を一時的に通電させる経過時通電部と、
前記劣化性部品が（第１あるいは第２の電源で）通電された場合に前記タイマをリセットするリセット部とを備えたものであることを特徴とする請求項６記載の電子機器。
【請求項８】
前記通電制御部が、
前記回路に対する第１の電源による電力供給の有無を確認する供給確認部と、
前記供給確認部により供給無しが確認された場合に前記第２の電源の電力で少なくとも前記劣化性部品を一時的に通電させる無給電時通電部とを備えたことを特徴とする請求項６または７記載の電子機器。
【請求項９】
前記第２の電源が、前記第１の電源を兼ねた共通電源であり、
前記共通電源の電力を前記回路に導く電源ラインと、
前記電源ラインを前記配線基板外からの指図でオンオフするスイッチとを備えたことを特徴とする請求項６から８のうちいずれか１項記載の電子機器。
【請求項１０】
前記第１の電源の電力を前記回路に導く第１の電源ラインと、
前記第２の電源の電力を前記劣化性部品に導く第２の電源ラインとを備え、
前記通電制御部が、前記第２の電源ラインのオンオフを制御するものであることを特徴とする請求項６から９のうちいずれか１項記載の電子機器。
【請求項１１】
前記配線基板外に設けられた、無通電での放置によって劣化を生じる基板外劣化性部品であって、前記第２の電源の電力で前記劣化性部品が通電されるのに伴って該第２の電源の電力で通電される基板外劣化性部品を備えたことを特徴とする請求項６から１０のうちいずれか１項記載の電子機器。
【発明の詳細な説明】
【技術分野】
【０００１】
本件開示は、回路基板および電子機器に関する。
【背景技術】
【０００２】
コンピュータや携帯電話などというような電子機器には回路部品が組み込まれている。また、多くの電子機器では、プリント基板（配線基板）上に回路部品が実装された回路基板が組み込まれている。【０００３】
そのような回路部品には何らかの原因で特性が劣化するものが存在する。また、回路部品の特性を劣化させる原因も様々なものが知られている。そして、原因に応じた対処方法が提案されている（例えば特許文献１〜特許文献４参照）。
【先行技術文献】
【特許文献】
【０００４】
【特許文献１】特開平０３−４８９９９号公報
【特許文献２】特開２００５−２３７３４号公報
【特許文献３】特開平０７−２３０７５０号公報
【特許文献４】特開平１０−６２４７６号公報
【発明の概要】
【発明が解決しようとする課題】
【０００５】
ところで、特性が劣化する回路部品のなかには、電解コンデンサやＦｌａｓｈメモリなどのように、半年や１年などという長期間に亘って放置されると電気的な特性が劣化するものがある。回路基板は、例えば保守用の在庫などとして単体で保管されている場合には長期間の保管が生じ易いと考えられる。また、回路基板が電子機器に組み込まれた後であっても上記のような長期間の保管は生じ得る。更に、技術的情勢や社会的情勢を鑑みた今後の動向を考慮すると、回路基板や電子機器の製品寿命をより長期化することも望まれている。【０００６】
従って、長期保管に伴う回路部品の劣化に伴い回路基板および電子機器の性能が低下することが予想される。そして、そのような回路部品の劣化を抑制して回路基板および電子機器の性能低下を抑制する技術が望まれるが、現状では特に提案がない。【０００７】
上記事情に鑑み、本件開示は、長期保管による性能低下が抑制された回路基板および電子機器を提供することを目的とする。
【課題を解決するための手段】
【０００８】
上記目的を達成する回路基板および電子機器の基本形態は、配線基板と、無通電での放置によって劣化を生じる劣化性部品を含んで上記配線基板上に構成された、第１の電源の電力で動作する回路とを備えている。さらに、この基本形態は、上記配線基板上に搭載された第２の電源と、上記第２の電源の電力で少なくとも上記劣化性部品を断続的に通電させる、上記配線基板上に構成された通電制御部とを備えている。電子機器の基本形態の場合には、更に、上記第１の電源も備えている。
【発明の効果】
【０００９】
以上説明した回路基板および電子機器の上記基本形態によれば、長期保管による性能低下が抑制される。
【図面の簡単な説明】
【００１０】
【図１】第１実施形態を示す図である。
【図２】第１実施形態における制御動作を表すフローチャートである。
【図３】副電源による通電の経路の具体的な例を示す図である。
【図４】第１実施形態における割り込み処理を表すフローチャートである。
【図５】第２実施形態を示す図である。
【図６】第２実施形態における制御動作を表すフローチャートである。
【図７】第３実施形態を示す図である。
【図８】第３実施形態における制御動作を表すフローチャートである。
【図９】第３実施形態における割り込み処理を表すフローチャートである。
【発明を実施するための形態】
【００１１】
基本形態について上記説明した回路基板および電子機器に対する具体的な実施形態を、以下図面を参照して説明する。
【００１２】
上記の基本形態は、劣化性部品が断続的に通電されることで回路部品の劣化が抑制されるものである。その結果、回路基板や電子機器は、長期間に亘って保管されても性能低下は抑制される。このような基本形態に対する好ましい応用形態として第１応用形態と第２応用形態を説明する。第１応用形態で上記通電制御部は、経過時間を計測するタイマを備えている。また、この通電制御部は、そのタイマによって計測された経過時間が所定の基準時間に達した場合に上記第２の電源の電力で少なくとも上記劣化性部品を一時的に通電させる経過時通電部も備えている。さらに、この通電制御部は、上記劣化性部品が第１及び又は第２の電源で通電された場合に上記タイマをリセットするリセット部を備えている。
【００１３】
この第１応用形態によれば、タイマなどで構成される簡易な通電制御部で劣化性部品に対する定期的な通電を実現することができる。
【００１４】
第２応用形態で上記通電制御部は、上記回路に対する第１の電源による電力供給の有無を確認する供給確認部を備えている。また、この第２応用形態での上記通電制御部は、上記供給確認部により供給無しが確認された場合に上記第２の電源の電力で少なくとも上記劣化性部品を一時的に通電させる無給電時通電部を備えている。
【００１５】
この第２応用形態によれば、第１の電源で電力供給がなされている場合には第２の電源での通電が回避されるので第２の電源の電力を長持ちさせることができる。
【００１６】
以下図面を参照して説明する第１実施形態は、上述した基本形態に対する具体的な実施形態に相当するとともに、上記第１応用形態および上記第２応用形態に対する具体的な実施形態にも相当する。
【００１７】
図１は、第１実施形態を示す図である。
【００１８】
この図１のパート（Ａ）に示す電子機器１は、ここでは特に種類を限定しないが、例えば、パーソナルコンピュータやサーバに代表される情報処理装置、通信基地局や通信端末に代表される通信機器、テレビやビデオなどに代表される家庭電化製品などが相当する。この電子機器１が、基本形態について上述した電子機器の具体的な第１実施形態に相当する。
【００１９】
この電子機器１内には、回路基板１０と主電源２０が組み込まれている。主電源２０は、図示を省略した外部の交流電源から電力を得て回路基板１０に直流電圧を印加する定電圧電源である。この回路基板１０は、配線基板１７と、その配線基板１７上に設けられた回路１３とを有している。回路１３は、非通電時にも電気的特性が劣化しない非劣化性部品群１１と、電解コンデンサやＦｌａｓｈメモリなどのように非通電時に電気的特性が劣化する劣化性部品群１２とを含んでいる。例えば電解コンデンサは、非通電が長期化すると、電極としての機能を担う酸化膜がほころびることで酸化膜と電解液とが導通状態となる。この状態で電解コンデンサに電圧が印加されるとリーク電流が発生する。このような劣化性部品群１２に属する部品は、電気的特性の劣化が少々の劣化であれば一時的な通電により特性が回復する。例えば電解コンデンサは、通電によって発生するリーク電流により酸化膜が再形成されてほころびが修復される。劣化性部品群１２に属する部品のなかには、通電が長期間に亘った場合にも電気的特性が劣化するものがある。例えば電解コンデンサは、通電が長期間に亘ると電解液の性質が変化してコンデンサとしての特性が劣化してしまう。つまり、劣化性部品群１２に属する部品が非通電時に劣化するからといって、通電し続けてしまうと別の劣化を生じさせることとなる。劣化性部品群１２に属する部品は、通電と非通電とが適宜に繰り返されると電気的特性が長く維持される。
【００２０】
非劣化性部品群１１に属する部品は、非通電が長期間に亘っても電気的特性は劣化しない。逆に、この非劣化性部品群１１に属する部品には、通電が長期間に亘ると電気的特性が劣化するものがある。従って、回路基板１０や電子機器１の寿命を延ばすためには、非劣化性部品群１１への通電はなるべく避けることが望ましい。
【００２１】
なお、この図１は、回路１３が非劣化性部品群１１と劣化性部品群１２と含んでいるという概念を示しているだけである。即ちこの図１は、これら非劣化性部品群１１と劣化性部品群１２との回路１３中での位置関係は示していない。
【００２２】
回路基板１０の配線基板１７上には回路１３の他に、副電源１４、制御ＩＣ１５、スイッチ１６，１６’も設けられている。副電源１４は具体的にはリチウム電池が用いられている。更に配線基板１７上には、回路基板１０と主電源２０とを接続するためのコネクタ１８も設けられている。
【００２３】
電子機器１内には、回路基板１０外の部品も組み込まれている。その回路基板１０外の部品には、非通電時に劣化しない非劣化性部品群３０と非通電時に劣化する劣化性部品群４０が含まれている。
【００２４】
ここで、回路基板１０は、基本形態について上述した回路基板の具体的な第１実施形態に相当する。また、配線基板１７が、上記基本形態における配線基板の一例に相当する。主電源２０は、上記基本形態における第１の電源の一例に相当する。回路基板１０上の回路１３は、上記基本形態における回路の一例に相当する。回路基板１０上の劣化性部品群１２に属する部品は、上記基本形態における劣化性部品の一例に相当する。副電源１４は、上記基本形態における第２の電源の一例に相当する。そして、制御ＩＣ１５およびスイッチ１６，１６’が、上記基本形態における通電制御部の一例を構成している。
【００２５】
主電源２０はコネクタ１８によって回路基板１０と接続されている。そして、このコネクタ１８を介して、上述した直流電圧によって回路基板１０上の回路１３に電力を供給している。より詳細には、回路１３に含まれている非劣化性部品群１１と劣化性部品群１２との双方に電力を供給している。電力を供給された回路１３は、その供給された電力で動作する。この回路１３の動作は、この図１に示す電子機器１が情報処理装置であれば情報処理動作であり、通信機器であれば通信処理動作であり、家庭電化製品であれば製品としての動作である。また、主電源２０は、回路基板１０外の非劣化性部品群３０にも直接に電力を供給している。更に、主電源２０は、回路基板１０外の劣化性部品群４０にも、回路基板１０を経由して電力を供給している。このような主電源２０による電力供給は、図示を省略した電源スイッチがユーザの操作あるいはオンオフ信号で指図されることでオンオフされる。
【００２６】
回路基板１０上の副電源１４は、制御ＩＣ１５に電力を供給すると共に、スイッチ１６を経由して、回路基板１０上の劣化性部品群１２と回路基板１０外の劣化性部品群４０とにも電力を供給する。劣化性部品群１２，４０に属する各部品は、副電源１４の電力で直接に通電される。但し、この図１では単に、劣化性部品群１２，４０に電力が供給されるという概念が示されているだけである。劣化性部品群１２，４０に対する具体的な供給経路については後で詳述する。
【００２７】
スイッチ１６，１６’は、制御ＩＣ１５から入力される制御信号によってオンオフが制御される。これらのスイッチ１６，１６’が制御信号によってオンオフされることにより、副電源１４による劣化性部品群１２，４０への電力供給がオンオフされることになる。これらのスイッチ１６，１６’は、一方がオンの時に他方がオフとなる。そして、非劣化性部品群１１に繋がっている方のスイッチ１６’は、副電源１４の電力が非劣化性部品群１１に流れるのを止めることで非劣化性部品群１１を保護する。制御ＩＣ１５からの制御信号は、主電源２０から回路１３等への電力供給の有無を制御ＩＣ１５が監視した結果に応じて出力される。
【００２８】
この図１のパート（Ｂ）には、制御ＩＣ１５の機能ブロック図が示されている。制御ＩＣ１５は、内部機能として見ると、監視部５１と信号出力部５２とタイマ５３とを有している。ここで、タイマ５３は、上記第１応用形態におけるタイマの一例に相当する。信号出力部５２とスイッチ１６は、上記第１応用形態における経過時通電部の一例を構成している。信号出力部５２と監視部５１は、上記第１応用形態におけるリセット部の一例を構成している。また、監視部５１は、上記第２応用形態における供給確認部の一例に相当する。信号出力部５２とタイマ５３とスイッチ１６は、上記第２応用形態における無給電時通電部の一例を構成している。
【００２９】
監視部５１は、主電源２０が回路１３に対して印加している直流電圧の有無を監視することにより、主電源２０から回路１３への電力供給の有無を確認している。つまり、監視部５１は、主電源２０の直流電圧で生じる電圧信号を、主電源２０による電力供給を監視するための監視信号として用いている。監視部５１による監視結果は信号出力部５２に通知される。タイマ５３は、信号出力部５２からの指示に従って時間計測を開始する。タイマ５３は、複数の開始時刻それぞれからの経過時間を計測することが出来る。そして、タイマ５３は、計時結果を信号出力部５２に通知する。信号出力部５２は、監視部５１による監視結果およびタイマ５３による計時結果に応じて、スイッチ１６，１６’をオンオフさせる制御信号を出力する。このような制御信号の出力により、以下説明するように、回路基板１０は自立的に劣化性部品群１２，４０への通電を行うこととなる。
【００３０】
以下、制御信号を出力する制御動作についてフローチャートを参照して説明する。
【００３１】
図２は、第１実施形態における制御動作を表すフローチャートである。
【００３２】
なおこれ以後の説明に際しては、特に図番を断らずに図１の要素を引用する。
【００３３】
この図２に示す制御動作の開始前には事前準備（ステップＳ１０１，Ｓ１０２）が行われる。この事前準備では、制御ＩＣ１５に対し、図示を省略した設定手段によって２つの時間が設定される。１つは、劣化性部品群１２，４０への通電のために自動起動するまでの待機時間Ｔ１である。そして、２つめは、劣化性部品群１２，４０における電気的特性を通電で回復させるのに要するリフレッシュ時間Ｔ２である。
【００３４】
この図２に示す制御動作が開始されると、監視部５１により主電源２０の直流電圧の有無が監視される。主電源２０の電源スイッチがオフになると、主電源２０の直流電圧で生じる電圧信号（即ち監視信号）がデアサートとなる（ステップＳ１０３）。監視部５１は監視信号のデアサートを確認すると信号出力部５２に通知する。その通知を受けた信号出力部５２はタイマ５３に、主電源２０のオフ状態の継続時間を計るタイマＡとしての時間計測を開始させる（ステップＳ１０４）。信号出力部５２は、タイマＡの計測時間が上述した待機時間Ｔ１に達しない間（ステップＳ１０５；Ｎｏ）は、タイマ５３に、タイマＡとしての時間計測を継続させる（ステップＳ１０６）。そして、信号出力部５２は、タイマＡの計測時間が上述した待機時間Ｔ１に達すると（ステップＳ１０５；Ｙｅｓ）、スイッチ１６をオンにさせる制御信号を出力する（ステップＳ１０７）。また、信号出力部５２は、タイマＡの時間計測を停止させるとともにタイマＡの計測時間をクリアさせる（即ちタイマＡをリセットする）。また、信号出力部５２はタイマ５３に、劣化性部品群１２，４０への通電時間を計測するタイマＢとしての時間計測を開始させる。スイッチ１６が制御信号によってオンにされることで劣化性部品群１２，４０に属する各部品は、副電源１４の電力で直接に通電される（ステップＳ１０８）。ここで、図２のフローチャートの説明を一旦中断して、劣化性部品群１２，４０に対する具体的な供給経路について説明する。
【００３５】
図３は、副電源による通電の経路の具体的な例を示す図である。
【００３６】
この第１実施形態では、上述した基本形態に対する好適な応用形態に対応した経路によって通電が行われている。
【００３７】
この好適な応用形態は、上記第１の電源の電力を上記回路に導く第１の電源ラインと、上記第２の電源の電力を上記劣化性部品に導く第２の電源ラインとを備えている。また、この応用形態では、上記通電制御部が、上記第２の電源ラインのオンオフを制御するものとなっている。この応用形態によれば、第２の電源ラインで確実に劣化性部品を通電させることができる。
【００３８】
図３には、この好適な応用形態に対応した経路が示されている。ここに示す電解コンデンサ８１は劣化性部品群１２に属する部品である。信号処理部品８４は非劣化性部品群１１に属する部品である。
【００３９】
主電源２０からの電力は電源ライン８０を介して電解コンデンサ８１と信号処理部品８４との双方に供給される。信号処理部品８４はその電力で動作して、入力信号に応じた出力信号を出力する。電解コンデンサ８１はその電力で通電される。
【００４０】
また、副電源１４からの電力も電源ライン８０によって電解コンデンサ８１に直接に供給される。この副電源１４からの電力は、図１に示す２つのスイッチ１６，１６’のうちの一方のスイッチ１６でオンオフされる。このスイッチ１６によって副電源１４からの電力がオンにされると電解コンデンサ８１はその電力で確実に通電する。一方、図１に示す２つのスイッチ１６，１６’のうちの他方のスイッチ１６’については、この図３にも具体的に図示されている。このスイッチ１６’は、副電源１４からの電力が電源ライン８０に供給されている場合に制御信号によってオフとなることで、信号処理部品８４への通電を防ぐ。
【００４１】
ここで、スイッチ１６’がオンの時の電源ライン８０は、上述した応用形態における第１の電源ラインの一例に相当する。また、スイッチ１６’がオフの時の電源ライン８０は、上述した応用形態における第２の電源ラインの一例に相当する。
【００４２】
以下、図２に戻ってフローチャートの説明を続ける。
【００４３】
上記ステップＳ１０８で副電源１４の電力による通電が開始されるとステップＳ１０９に進む。信号出力部５２は、タイマＢの計測時間が上述したリフレッシュ時間Ｔ２に達しない間（ステップＳ１０９；Ｎｏ）は、タイマ５３に、タイマＢとしての時間計測を継続させる。また、信号出力部５２は、スイッチ１６をオンにする制御信号も出力し続ける（ステップＳ１１０）。これにより、リフレッシュ時間Ｔ２の間、劣化性部品群１２，４０への通電が維持されて各部品の特性が回復する。その後、信号出力部５２は、タイマＢの計測時間が上述したリフレッシュ時間Ｔ２に達すると（ステップＳ１０９；Ｙｅｓ）、スイッチ１６をオフにさせる制御信号を出力する（ステップＳ１１１）。また、信号出力部５２は、タイマＢの時間計測を停止させるとともにタイマＢの計測時間をクリアさせる（即ちタイマＢをリセットする）。また、信号出力部５２はタイマ５３にタイマＡとしての時間計測を開始させる。その後、上述したステップＳ１０５に戻って、ステップＳ１０５以後の動作が繰り返される。
【００４４】
以上説明した図２のフローチャートが示す動作により、回路基板１０は定期的かつ自立的に劣化性部品群への通電を繰り返すこととなる。このような定期的な通電は劣化性部品群に属する各部品の電気的特性を維持するので、電子機器１が未使用で長期に保管された場合であっても回路基板１０や電子機器１としての性能が維持される。また、このような定期的かつ自立的な通電は、回路基板１０が電子機器１に組み込まれずに保守用の在庫品などとして単体で保管される場合にも実行される。このため、回路基板１０単独で保管される場合であっても回路基板１０の性能は長期に維持される。
【００４５】
この第１実施形態では、この図２に示す制御動作が実行されている間、以下説明する割り込み処理が定期的に実行される。
【００４６】
図４は、第１実施形態における割り込み処理を表すフローチャートである。
【００４７】
この図４に示す割り込み処理は、図２に示す制御動作の途中に割り込んで定期的に実行される処理である。この割り込み処理が開始されると、監視部５１により主電源２０の直流電圧の有無が確認される（ステップＳ２０２）。主電源２０の直流電圧で生じる電圧信号（即ち監視信号）がデアサートである場合（ステップＳ２０２；Ｎｏ）には、この割り込み処理は終了される。終了後は、図２に示す制御動作が、割り込まれた箇所から再開される。
【００４８】
図２に示す制御動作が実行されている間に主電源２０の電源スイッチがオンになると監視信号がアサートとなる（ステップＳ２０１）。この監視信号のアサート状態は、この図４に示す割り込み処理が開始されたときに監視部５１によって確認される（ステップＳ２０２；Ｙｅｓ）。そして、制御ＩＣ１５は図２に示す制御動作を中断する（ステップＳ２０３）。より詳細には、信号出力部５２が、スイッチ１６をオフにする制御信号を出力する。その後、信号出力部５２は、ステップＳ２０４で、タイマＡおよびタイマＢの時間計測を停止させるとともにタイマＡおよびタイマＢの計測時間をともにクリアさせる（即ちタイマＡおよびタイマＢをリセットする）。そして制御ＩＣ１５の動作は、図２に示す制御動作のスタートに戻る。
【００４９】
この図４に示す割り込み処理は、副電源１４による劣化性部品群１２，４０への通電を、主電源２０がオンの場合には中止させる役割を持つ。この結果、副電源１４の電力の余分な消費が回避されるので、その回避された分だけ副電源１４の電力が長持ちする。
【００５０】
以上で第１実施形態の説明を終了し、次に第２実施形態について説明する。この第２実施形態も、上述した基本形態に対する具体的な実施形態に相当している。また、この第２実施形態は、上述した第１応用形態に対する具体的な実施形態に相当しているが、第２応用形態に対する具体的な実施形態には相当していない。
【００５１】
図５は、第２実施形態を示す図である。
【００５２】
この図５に示す電子機器２は、基本形態について上述した電子機器の具体的な第２実施形態に相当する。この第２実施形態の電子機器２は、第１実施形態とは異なる回路基板６０を備えている点を除いて、第１実施形態の電子機器１と同等のものである。また、この図５に示す回路基板６０は、基本形態について上述した回路基板の具体的な第２実施形態に相当する。この第２実施形態の回路基板６０は、第１実施形態とは異なる制御ＩＣ６１を備えている点を除いて、第１実施形態の回路基板１０と同等のものである。
【００５３】
以下、第２実施形態について、第１実施形態との相違点に着目して説明する。
【００５４】
この図５のパート（Ａ）に示す回路基板６０が備えている制御ＩＣ６１は、副電源１４からの電力で動作することで制御信号を出力するものである。この制御信号はスイッチ１６，１６’に入力される。つまり、制御信号により制御される対象は第１実施形態における制御対象と同様である。しかし、この制御ＩＣ６１は、主電源２０の直流電圧の監視は行っていない。このため、制御ＩＣ６１から制御信号が出力されるタイミングは第１実施形態における出力タイミングとは若干相違する。
【００５５】
図５のパート（Ｂ）には制御ＩＣ６１の機能ブロック図が示されている。この機能ブロック図が示すように、制御ＩＣ６１はタイマ５３と信号出力部６２を内部機能として有している。しかし、制御ＩＣ６１は第１実施形態のような監視部を有していない。この図５に示す第２実施形態では、制御ＩＣ６１は、副電源１４による劣化性部品群１２への通電を常に定期的に実行させる。
【００５６】
ここで、タイマ５３は、上記第１応用形態におけるタイマの一例に相当する。信号出力部６２とスイッチ１６，１６’は、上記第１応用形態における経過時通電部の一例を構成している。信号出力部６２は、上記第１応用形態におけるリセット部の一例に相当する。
【００５７】
図６は、第２実施形態における制御動作を表すフローチャートである。
【００５８】
この図６に示すフローチャートは、ステップＳ１０３が欠如していることを除くと、図２に示すフローチャートと同様のフローチャートである。
【００５９】
この図６に示すフローチャートに従った制御動作は、図５に示す副電源１４（リチウム電池）が回路基板６０に組み込まれて制御ＩＣ６１に電力が供給されると開始される。また、この第２実施形態では、この図６の制御動作を中断させる割り込み処理は存在しない。従って、この第２実施形態では、主電源２０からの電力供給の有無に関わりなく、副電源１４の電力が続く限り常に定期的に劣化性部品群１２への通電が実行されることとなる。
【００６０】
このような第２実施形態でも、回路基板６０は定期的かつ自立的に劣化性部品群への通電を繰り返すこととなる。従って、電子機器１が未使用で長期に保管された場合や回路基板１０が単体で長期に保管される場合であっても回路基板１０や電子機器１としての性能は維持される。
【００６１】
次に第３実施形態について説明する。この第３実施形態も、上述した基本形態に対する具体的な実施形態に相当している。また、この第３実施形態は、上述した第１応用形態および第２応用形態それぞれに対する具体的な実施形態に相当している。さらに、この第３実施形態は、次の第３応用形態に対する具体的な実施形態にも相当している。
【００６２】
この第３応用形態では、上記第２の電源が、上記第１の電源を兼ねた共通電源となっている。そしてこの第３応用形態は、上記共通電源の電力を前記回路に導く電源ラインと、上記電源ラインを配線基板外からの指図でオンオフするスイッチとを備えている。
【００６３】
この第３応用形態は、回路基板上の回路を動作させるための電力を回路基板上で自給するタイプの形態である。この第３応用形態によれば、回路基板上で自給する電力を第１の電源と第２の電源それぞれの役割で利用することで回路基板の性能劣化を長期に亘って抑制することができる。
【００６４】
図７は、第３実施形態を示す図である。
【００６５】
この図７に示す回路基板７０は、回路基板７０単体で電子機器としての機能を発揮するものである。この回路基板７０は、基本形態について上述した回路基板の具体的な第３実施形態に相当するとともに、基本形態について上述した電子機器の具体的な第３実施形態にも相当する。
【００６６】
この回路基板７０が備えた要素のうち、図１に示す回路基板１０が備えた要素と同等の要素については同一の符号を付すことで重複説明を省略する。
【００６７】
この回路基板７０が備えている電源１４は、図１に示す副電源１４と全く同じリチウム電池であるが、この第３実施形態では単に「電源」と称している。
【００６８】
この回路基板７０には、電源１４の電力を回路１３に導く電源ライン７１が備えられている。また、この回路基板７０には、その電源ライン７１を回路基板７０外からの指図でオンオフさせる電源スイッチ７２も備えられている。ここでは「指図」の具体的な内容は特に限定しないが、例えば、電源スイッチ７２のオンオフ状態を制御する制御信号が入力されることであっても良いし、ユーザによる手動操作であってもよい。
【００６９】
この第３実施形態の回路基板７０は、電源１４が、第１実施形態における主電源２０と副電源１４との双方の役割を担っている点を除くと、第１実施形態の回路基板１０とほぼ同様のものである。従って、この第３実施形態における制御ＩＣ１５による制御動作や割り込み処理も、以下説明するように、第１実施形態における制御動作とほぼ同様である。
【００７０】
図８は、第３実施形態における制御動作を表すフローチャートである。
【００７１】
この図８に示すフローチャートでは、図７に示す唯一の電源１４から電源ライン７１を経て回路１３に印加される電圧が電源スイッチ７２でオフになると監視信号がデアサートとなる（ステップＳ１０３’）。また、ステップＳ１０７でスイッチ１６がオンとなると、図７に示す唯一の電源１４の電力によって劣化性部品群１２に通電される（ステップＳ１０８’）。これらの２つのステップＳ１０３’，Ｓ１０８’を除く他のステップは、図２に示す各ステップと同等である。また、制御動作全体としても、この図８のフローチャートが表す制御動作は、図２のフローチャートが表す制御動作と本質的に同等である。
【００７２】
図９は、第３実施形態における割り込み処理を表すフローチャートである。
【００７３】
この図９に示すフローチャートでは、図７に示す電源スイッチ７２がオンになると監視信号がアサートとなる（ステップＳ２０１’）。この１つのステップＳ２０１’を除く他のステップは、図４に示す各ステップと同等である。割り込み処理全体としても、この図９のフローチャートが表す割り込み処理は、図４のフローチャートが表す割り込み処理と本質的に同等である。
【００７４】
第３実施形態の回路基板７０では、上述した制御動作や割り込み処理が実行されることにより、回路基板７０上で自給する電力を節約しながら回路基板７０の性能を長期間に亘って維持することができる。
【図１】
2011045858.tif 000003
【図２】
2011045858.tif 000004
【図３】
2011045858.tif 000005
【図４】
2011045858.tif 000006
【図５】
2011045858.tif 000007
【図６】
2011045858.tif 000008
【図７】
2011045858.tif 000009
【図８】
2011045858.tif 000010
【図９】
2011045858.tif 000011
【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
配線基板と、
無通電での放置によって劣化を生じる劣化性部品を含んで前記配線基板上に設けられた、第１の電源の電力で動作する回路と、
前記配線基板上に搭載された第２の電源と、
前記第２の電源の電力で少なくとも前記劣化性部品を断続的に通電させる、前記配線基板上に構成された通電制御部とを備えたことを特徴とする回路基板。
【請求項２】
前記通電制御部が、
経過時間を計測するタイマと、
前記タイマによって計測された経過時間が所定の基準時間に達した場合に前記第２の電源の電力で少なくとも前記劣化性部品を一時的に通電させる経過時通電部と、
前記劣化性部品が（第１あるいは第２の電源で）通電された場合に前記タイマをリセットするリセット部とを備えたものであることを特徴とする請求項１記載の回路基板。
【請求項３】
前記通電制御部が、
前記回路に対する第１の電源による電力供給の有無を確認する供給確認部と、
前記供給確認部により供給無しが確認された場合に前記第２の電源の電力で少なくとも前記劣化性部品を一時的に通電させる無給電時通電部とを備えたことを特徴とする請求項１または２記載の回路基板。
【請求項４】
前記第２の電源が、前記第１の電源を兼ねた共通電源であり、
前記共通電源の電力を前記回路に導く電源ラインと、
前記電源ラインを前記配線基板外からの指図でオンオフするスイッチとを備えたことを特徴とする請求項１から３のうちいずれか１項記載の回路基板。
【請求項５】
前記第１の電源の電力を前記回路に導く第１の電源ラインと、
前記第２の電源の電力を前記劣化性部品に導く第２の電源ラインとを備え、
前記通電制御部が、前記第２の電源ラインのオンオフを制御するものであることを特徴とする請求項１から４のうちいずれか１項記載の回路基板。
【請求項６】
オンオフされる第１の電源と、
配線基板と、
無通電での放置によって劣化を生じる劣化性部品を含んで前記配線基板上に設けられた、前記第１の電源の電力で動作する回路と、
前記配線基板上に搭載された第２の電源と、
前記第２の電源の電力で少なくとも前記劣化性部品を断続的に通電させる、前記配線基板上に構成された通電制御部とを備えたことを特徴とする電子機器。
【手続補正書】
【提出日】平成24年12月12日(2012.12.12)
【手続補正１】
【補正対象書類名】特許請求の範囲
【補正対象項目名】全文
【補正方法】変更
【補正の内容】
【特許請求の範囲】
【請求項１】
配線基板と、
無通電での放置によって劣化を生じる部品を含んで前記配線基板上に設けられた、第１の電源の電力で動作する回路と、
前記配線基板上に搭載された第２の電源と、
前記第２の電源の電力で少なくとも前記部品を断続的に通電させる、前記配線基板上に構成された通電制御部とを備え、
前記通電制御部は、
前記回路に対する前記第１の電源による電力供給の有無を確認する供給確認部と、
前記供給確認部により供給無しが確認された場合に前記第２の電源の電力で少なくとも前記部品を一時的に通電させる無給電時通電部とを備える、
ことを特徴とする回路基板。
【請求項２】
前記通電制御部は、
経過時間を計測するタイマと、
前記タイマによって計測された経過時間が所定の基準時間に達した場合に前記第２の電源の電力で少なくとも前記部品を一時的に通電させる経過時通電部と、
前記第１または第２の電源で前記部品が通電された場合に前記タイマをリセットするリセット部とを備える、
ことを特徴とする請求項１記載の回路基板。
【請求項３】
前記第２の電源が、前記第１の電源を兼ねた共通電源であり、
当該回路基板は、
前記共通電源の電力を前記回路に導く電源ラインと、
前記電源ラインを前記配線基板外からの指図でオンオフするスイッチとを備える、
ことを特徴とする請求項１または２記載の回路基板。
【請求項４】
前記第１の電源の電力を前記回路に導く第１の電源ラインと、
前記第２の電源の電力を前記部品に導く第２の電源ラインとを備え、
前記通電制御部が、前記第２の電源ラインのオンオフを制御する、
ことを特徴とする請求項１から３のうちいずれか１項記載の回路基板。
【請求項５】
オンオフされる第１の電源と、
配線基板と、
無通電での放置によって劣化を生じる部品を含んで前記配線基板上に設けられた、前記第１の電源の電力で動作する回路と、
前記配線基板上に搭載された第２の電源と、
前記第２の電源の電力で少なくとも前記部品を断続的に通電させる、前記配線基板上に構成された通電制御部とを備え、
前記通電制御部は、
前記回路に対する前記第１の電源による電力供給の有無を確認する供給確認部と、
前記供給確認部により供給無しが確認された場合に前記第２の電源の電力で少なくとも前記部品を一時的に通電させる無給電時通電部とを備える、
ことを特徴とする電子機器。
【国際調査報告】
2011045858.tif 000012
2011045858.tif 000013